(57)【要約】  本発明に係る移動通信方法は、無線基地局の収容先を第１ネットワーク装置から第２ネットワーク装置に変更することを決定する工程と、第１ネットワーク装置及び第２ネットワーク装置に対して決定結果を通知する工程と、無線基地局に対してリセット要求を送信する工程と、無線基地局が、リセット要求に応じてリセット動作を行う工程と、無線基地局に対して第２ネットワーク装置のアドレス情報を通知する工程と、無線基地局が、通知された第２ネットワーク装置のアドレス情報を用いて第２ネットワーク装置に対して接続を行う工程とを有する。
2010016578.tif 000002
【特許請求の範囲】
【請求項１】
無線基地局の収容先を、第１ネットワーク装置から第２ネットワーク装置に変更することを決定する工程Ａと、
前記無線基地局に対して、リセット要求を送信する工程Ｂと、
前記無線基地局が、前記リセット要求に応じて、リセット動作を行う工程Ｃと、
前記無線基地局に対して、前記第２ネットワーク装置のアドレス情報を通知する工程Ｄと、
前記無線基地局が、通知された前記第２ネットワーク装置のアドレス情報を用いて、該第２ネットワーク装置に対して接続を行う工程Ｅとを有し、
前記工程Ｃにおいて、前記無線基地局は、第１無線基地局である場合、前記リセット要求を受信した場合に、報知情報の送信電力を徐々に下げていき、該報知情報の送信電力が所定値になった後でリセット動作を行い、
前記工程Ｃにおいて、前記無線基地局は、第２無線基地局である場合、前記リセット要求を受信した場合にリセット動作を行うことを特徴とする移動通信方法。
【請求項２】
前記工程Ａにおいて、前記第１ネットワーク装置のサービスエリア内に前記第２ネットワーク装置が新たに設置された場合に、該第２ネットワーク装置のサービスエリア及び該第１ネットワーク装置に収容されている無線基地局の設置位置に応じて、収容先を該第２ネットワーク装置に変更する無線基地局を決定することを特徴とする請求項１に記載の移動通信方法。
【請求項３】
前記工程Ａにおいて、更に、前記第１無線基地局或いは前記第２無線基地局のいずれかであるかに応じて、収容先を該第２ネットワーク装置に変更する無線基地局を決定することを特徴とする請求項１に記載の移動通信方法。
【請求項４】
サーバ装置に対して、収容先を前記第２ネットワーク装置に変更すべき無線基地局に係る情報を通知する工程を更に有し、
前記工程Ｄにおいて、前記サーバ装置が、前記無線基地局から送信されたアドレス解決要求に含まれる該無線基地局に係る情報に応じて、該無線基地局に対して、前記第２ネットワーク装置のアドレス情報を通知することを特徴とする請求項１に記載の移動通信方法。
【請求項５】
第１ネットワーク装置のサービスエリア内に第２ネットワーク装置が新たに設置された場合に、該第２ネットワーク装置のサービスエリア及び該第１ネットワーク装置に収容されている無線基地局の設置位置に応じて、収容先を該第２ネットワーク装置に変更する無線基地局を決定するように構成されている決定部と、
前記無線基地局に対して、リセット要求を送信するように構成されている送信部とを具備することを特徴とするサーバ装置。
【請求項６】
前記決定部は、更に、第１無線基地局或いは第２無線基地局のいずれかであるかに応じて、収容先を該第２ネットワーク装置に変更する無線基地局を決定するように構成されており、
前記第１無線基地局は、前記リセット要求を受信した場合に、報知情報の送信電力を徐々に下げていき、該報知情報の送信電力が所定値になった後でリセット動作を行うように構成されている無線基地局であり、
前記第２無線基地局は、前記リセット要求を受信した場合にリセット動作を行うように構成されている無線基地局であることを特徴とする請求項５に記載のサーバ装置。
【発明の詳細な説明】
【技術分野】
【０００１】
本発明は、移動通信方法及びサーバ装置に関する。
【背景技術】
【０００２】
一般的に、ネットワーク管理者は、公衆通信サービスを提供するマクロセル用無線基地局について、不規則に発生する移動局からの接続要求に応えるために、常時、保守及び運用を行っている。【０００３】
ネットワーク管理者は、通常、マクロセル用無線基地局を、設置時に決定した無線制御装置に継続的に収容させるが、特定の無線制御装置においてトラヒックが集中しているような状況では、かかる無線制御装置における処理トラヒックの分散を図るために、かかる無線制御装置に収容されるマクロセル用無線基地局の変更を行う。【０００４】
ネットワーク管理者による無線制御装置に収容されるマクロセル用無線基地局の変更作業は、例えば、以下のように行われる。【０００５】
（１）ネットワーク管理者は、マクロセル用無線基地局の周辺無線基地局を収容している無線制御装置を検索し、かかる無線制御装置が複数存在する場合には、各無線制御装置におけるトラヒック量を評価して、かかるマクロセル用無線基地局を収容する無線制御装置を決定する。【０００６】
（２）ネットワーク管理者は、収容変更の対象となるマクロセル用無線基地局及び無線制御装置における各種パラメータ（当該マクロセル用無線基地局或いは当該無線制御装置のアドレス情報を含む）を構成データに反映させて、手動の直接入力により、かかる構成データを当該マクロセル用無線基地局に設定する。【０００７】
（３）ネットワーク管理者は、収容変更の対象となるマクロセル用無線基地局に対してリセット作業を行い、接続変更先となる無線制御装置に再接続させる。
【発明の概要】
【発明が解決しようとする課題】
【０００８】
近年、フェムトセル用無線基地局（Ｈｏｍｅ  ｅＮＢ）と呼ばれる家庭等の小規模なエリアに設置される無線基地局の運用方法について検討されている。【０００９】
かかるフェムトセル用無線基地局は、所有者によって設置されることが想定され、その設置数が膨大になることが想定されるため、上述の（１）及び（２）のようなネットワーク管理者によるパラメータ設定作業が多大になることや、上述の（３）ような保守作業（リセット作業）を、フェムトセル用無線基地局の所有者に強いることになるといった問題点があった。【００１０】
そこで、本発明は、上述の課題に鑑みてなされたものであり、ネットワーク管理者によるパラメータ設定作業の増加を抑え、フェムトセル用無線基地局の所有者に保守作業（リセット作業）を強いることなく、自動的に、フェムトセル用無線基地局の収容変更を行うことができる移動通信方法及びサーバ装置を提供することを目的とする。
【課題を解決するための手段】
【００１１】
本発明の第１の特徴は、移動通信方法であって、無線基地局の収容先を、第１ネットワーク装置から第２ネットワーク装置に変更することを決定する工程Ａと、前記無線基地局に対して、リセット要求を送信する工程Ｂと、前記無線基地局が、前記リセット要求に応じて、リセット動作を行う工程Ｃと、前記無線基地局に対して、前記第２ネットワーク装置のアドレス情報を通知する工程Ｄと、前記無線基地局が、通知された前記第２ネットワーク装置のアドレス情報を用いて、該第２ネットワーク装置に対して接続を行う工程Ｅとを有し、前記工程Ｃにおいて、前記無線基地局は、第１無線基地局である場合、前記リセット要求を受信した場合に、報知情報の送信電力を徐々に下げていき、該報知情報の送信電力が所定値になった後でリセット動作を行い、前記工程Ｃにおいて、前記無線基地局は、第２無線基地局である場合、前記リセット要求を受信した場合にリセット動作を行うことを要旨とする。【００１２】
本発明の第２の特徴は、サーバ装置であって、第１ネットワーク装置のサービスエリア内に第２ネットワーク装置が新たに設置された場合に、該第２ネットワーク装置のサービスエリア及び該第１ネットワーク装置に収容されている無線基地局の設置位置に応じて、収容先を該第２ネットワーク装置に変更する無線基地局を決定するように構成されている決定部と、前記無線基地局に対して、リセット要求を送信するように構成されている送信部とを具備することを要旨とする。
【発明の効果】
【００１３】
以上説明したように、本発明によれば、ネットワーク管理者によるパラメータ設定作業の増加を抑え、フェムトセル用無線基地局の所有者に保守作業（リセット作業）を強いることなく、自動的に、フェムトセル用無線基地局の収容変更を行うことができる移動通信方法及びサーバ装置を提供することができる。
【図面の簡単な説明】
【００１４】
【図１】図１は、本発明の第１の実施形態に係る移動通信システムの全体構成図である。
【図２】図２は、本発明の第１の実施形態に係るＰｎＰサーバの機能ブロック図である。
【図３】図３は、本発明の第１の実施形態に係るネットワーク装置及びフェムトセル用無線基地局の配置状況の一例を示す図である。
【図４】図４は、本発明の第１の実施形態に係るネットワーク装置におけるフェムトセル用無線基地局の収容状況の一例を示す図である。
【図５】図５は、本発明の第１の実施形態に係る移動通信システムの動作を示すシーケンス図である。
【図６】図６は、本発明の第１の実施形態に係る移動通信システムにおけるマクロセル用無線基地局及フェムトセル用無線基地局の収容先について説明するための図である。
【図７】図７は、本発明の第１の実施形態に係る移動通信システムにおけるマクロセル用無線基地局及フェムトセル用無線基地局の収容先について説明するための図である。
【図８】図８は、本発明の第１の実施形態に係る移動通信システムにおけるマクロセル用無線基地局及フェムトセル用無線基地局の収容先について説明するための図である。
【発明を実施するための形態】
【００１５】
（本発明の第１の実施形態に係る移動通信システムの構成）
図１乃至図４を参照して、本発明の第１の実施形態に係る移動通信システムの構成について説明する。
【００１６】
図１に示すように、本実施形態に係る移動通信システムは、第１ネットワーク装置１００と、第２ネットワーク装置１０１と、ゲートウェイ装置（ＳＧＷ：Ｓｅｃｕｒｉｔｙ  Ｇａｔｅｗａｙ）４００と、ＤＮＳ（Ｄｏｍａｉｎ  Ｎａｍｅ  Ｓｙｓｔｅｍ）サーバ５００と、ＰｎＰ（Ｐｌｕｇ  ＆  Ｐｌａｙ）サーバ６００と、マクロセル用無線基地局２００と、フェムトセル用無線基地局２０１、２０２とを具備している。
【００１７】
マクロセル用無線基地局２００及びフェムトセル用無線基地局２０１、２０２は、第１ネットワーク装置１００又は第２ネットワーク装置１０１に収容されている。
【００１８】
第１ネットワーク装置１００及び第２ネットワーク装置１０１は、マクロセル用無線基地局２００及びフェムトセル用無線基地局２０１、２０２に対して、マクロセル用無線基地局２００及びフェムトセル用無線基地局２０１、２０２と無線通信を行う移動局３００との間の個別無線チャネルの割り当て及び管理を行うように構成されている。
【００１９】
例えば、本実施形態に係る移動通信システムが、Ｗ-ＣＤＭＡ方式の移動通信システムである場合、第１ネットワーク装置１００及び第２ネットワーク装置１０１は、無線制御装置ＲＮＣ（Ｒａｄｉｏ  Ｎｅｔｗｏｒｋ  Ｃｏｎｔｒｏｌｌｅｒ）によって構成されており、本実施形態に係る移動通信システムが、ＬＴＥ（Ｌｏｎｇ  Ｔｅｒｍ  Ｅｖｏｌｕｔｉｏｎ）方式の移動通信システムである場合、第１ネットワーク装置１００及び第２ネットワーク装置１０１は、交換局ＭＭＥ或いはＳＧＳＮによって構成されている。
【００２０】
また、第１ネットワーク装置１００及び第２ネットワーク装置１０１は、その他の装置によって構成されていてもよい。
【００２１】
マクロセル用無線基地局２００は、移動通信事業者によって管理されている移動通信事業者ネットワーク内に設けられている第１無線基地局であり、フェムトセル用無線基地局２０１、２０２は、移動通信事業者ネットワーク外のユーザネットワーク（移動通信事業者の加入ユーザによって管理されているネットワーク）に設けられている第２無線基地局である。
【００２２】
例えば、フェムトセル用無線基地局２０１、２０２は、上述の加入ユーザによって管理されているＬＡＮ（Ｌｏｃａｌ  Ａｒｅａ  Ｎｅｔｗｏｒｋ）内に設置され、ＦＴＴＨ（Ｆｉｂｅｒ  Ｔｏ  Ｔｈｅ  Ｈｏｍｅ）やＡＤＳＬ（Ａｓｙｍｍｅｔｒｉｃ  Ｄｉｇｉｔａｌ  Ｓｕｂｓｃｒｉｂｅｒ  Ｌｉｎｅ）等のアクセス回線事業者のネットワーク（固定回線事業者ネットワーク）を介して、移動通信事業者ネットワーク上に設置されている第１ネットワーク装置１００又は第２ネットワーク装置１０１に接続する。
【００２３】
移動通信事業者ネットワークの境界線上には、ゲートウェイ装置４００が設置されている。ゲートウェイ装置４００は、他のネットワークからの不正なアクセスから、移動通信事業者ネットワークを守るためのゲートウェイ装置であり、ゲートウェイ装置４００の認証処理により正規と認められたアクセスのみを、移動通信事業者ネットワークに通すことになる。
【００２４】
また、移動通信事業者ネットワーク上には、ＤＮＳサーバ５００及びＰｎＰサーバ６００が設置されている。
【００２５】
ＤＮＳサーバ５００は、フェムトセル用無線基地局２０１、２０２からアドレス解決要求に対して、かかるフェムトセル用無線基地局２０１、２０２の新たな収容先のネットワーク装置のアドレス情報（例えば、ＩＰアドレス）を通知するように構成されている。
【００２６】
図２に示すように、ＰｎＰサーバ６００は、カバーエリア入力部１１と、収容変更対象無線基地局決定部１２と、送信部１３とを具備している。
【００２７】
カバーエリア入力部１１は、各ネットワーク装置のサービスエリア（カバーエリア）を入力するための入力部である。ここで、カバーエリアは、各ネットワーク装置に収容され得る無線基地局の設置位置の範囲を示すものである。
【００２８】
収容変更対象無線基地局決定部１２は、ネットワーク装置が新たに設置された場合に、かかるネットワーク装置に対して収容先を変更する無線基地局（マクロセル用無線基地局又はフェムトセル用無線基地局）を決定するように構成されている。
【００２９】
具体的には、収容変更対象無線基地局決定部１２は、第１ネットワーク装置１００のサービスエリア内に第２ネットワーク装置１０１が新たに設置された場合に、第２ネットワーク装置１０１のサービスエリア及び第１ネットワーク装置１００に収容されている無線基地局の設置位置に応じて、収容先を第２ネットワーク装置１０２に変更する無線基地局を決定するように構成されている。
【００３０】
例えば、図３に示すように、収容変更対象無線基地局決定部１２は、第１ネットワーク装置１００のサービスエリア内に第２ネットワーク装置１０１が新たに設置された場合に、フェムトセル用無線基地局２０１が、第２ネットワーク装置１０１のサービスエリア内に設置されているため、フェムトセル用無線基地局２０１の収容先を第２ネットワーク装置１０２に変更すると決定してもよい。
【００３１】
また、収容変更対象無線基地局決定部１２は、更に、各無線基地局の種別（各無線基地局がマクロセル用無線基地局或いはフェムトセル用無線基地局のいずれかであるか）に応じて、収容先を第２ネットワーク装置１０１に変更する無線基地局を決定するように構成されていてもよい。
【００３２】
また、収容変更対象無線基地局決定部１２は、図４に示すテーブルを参照して、ある無線基地局を収容可能なネットワーク装置が複数存在した場合、各ネットワーク装置に収容可能な残りの無線基地局数（「収容局数」）や、各ネットワーク装置に収容可能な残りの平均、最小又は最大のトラヒック量（「残収容可能トラフィク数」）や、各ネットワーク装置に割り当てられている優先度のうちの少なくとも１つに基づいて、かかる無線基地局を収容すべき１つのネットワーク装置を決定するように構成されていてもよい。
【００３３】
送信部１３は、第１ネットワーク装置１００及び第２ネットワーク装置１０１に対して、収容変更対象無線基地局決定部１２による決定結果を送信し、収容変更の対象となる無線基地局に対して、リセット要求を送信するように構成されている。
【００３４】
（本発明の第１の実施形態に係る移動通信システムの動作）
図５を参照して、本発明の第１の実施形態に係る移動通信システムの動作について説明する。
【００３５】
具体的には、図５を参照して、第１ネットワーク装置１００においてマクロセル用無線基地局２００及びフェムトセル用無線基地局２０１を収容している状況から、フェムトセル用無線基地局２０１の収容先を第２ネットワーク装置１０１に変更する際の動作について説明する。
【００３６】
図６に示すように、ステップＳ１０００において、フェムトセル用無線基地局２０１は、第１ネットワーク装置１００と接続状態であるものとする。
【００３７】
ステップＳ１００１において、ネットワーク管理者は、第２ネットワーク装置１０１の割り入れ等により、無線基地局の収容変更を行う場合、移動通信ネットワーク内に設置されている各ネットワーク装置のカバーエリアについて、ＰｎＰサーバ６００に対して入力する。
【００３８】
ステップＳ１００２において、ＰｎＰサーバ６００は、フェムトセル用無線基地局２０１の設置位置及び各ネットワーク装置のカバーエリアを参照し、フェムトセル用無線基地局２０１の収容先となるネットワーク装置を決定する。
【００３９】
ここで、図３を参照して、ＰｎＰサーバ６００に対して、ネットワーク装置１００〜１０４のカバーエリアが入力されて、フェムトセル用無線基地局２０１の収容先が決定される場合の動作（フェムトセル用無線基地局２０１の収容先を変更するか否かについての判定も含む）について説明する。
【００４０】
図３に示すフェムトセル用無線基地局２０１の設置位置では、現在接続中のネットワーク装置１００及び未接続状態のネットワーク装置１０１が、収容対象のネットワーク装置として検索される。
【００４１】
ここで、ＰｎＰサーバは、図４に示すテーブルに規定されている「残収容可能トラヒック量」や「収容局数」や「優先度」等の判定基準を参照して、ネットワーク装置１００、１０１のうち、どちらを収容対象のネットワーク装置とすべきか決定する。
【００４２】
なお、ＰｎＰサーバは、各判定基準に対して重要度を設定してもよい。例えば、ＰｎＰサーバは、「残収容可能トラヒック量」、「収容局数」、「優先度」の順に、重要度を高く設定してもよい。
【００４３】
かかる場合、図４の例において、ＰｎＰサーバは、「残収容可能トラヒック量」として、「ＣａＰａ１００−Ｔｒ１００」−「ＣａＰａ１０１−Ｔｒ１０１」＞「Ｔｈｒｅｓｈｈｏｌｄ１」であれば、他の判定基準である「収容局数」や「優先度」に依らず、ネットワーク装置１０１を収容対象のネットワーク装置とすべきであると決定する。
【００４４】
ステップＳ１００３において、ＰｎＰサーバ６００は、フェムトセル用無線基地局２０１のアドレス解決要求の送信先となるＤＮＳサーバ５００に対して、フェムトセル用無線基地局２０１及びネットワーク装置１０１のアドレス情報を含む収容変更情報を送信する。
【００４５】
なお、ＤＮＳサーバ５００は、フェムトセル用無線基地局２０１のアドレス情報に括り付けてネットワーク装置１０１のアドレス情報を管理することにより、上述のアドレス解決要求の送信元のアドレス情報を参照して、フェムトセル用無線基地局２０１に通知すべきネットワーク装置１０１のアドレス情報を選択することができる。
【００４６】
ステップ１００４において、ＰｎＰサーバ６００は、フェムトセル用無線基地局２０１の新たな収容先となるネットワーク装置１０１に対して、フェムトセル用無線基地局２０１のアドレス情報を含む追加要求を送信する。
【００４７】
なお、ネットワーク装置１０１は、フェムトセル用無線基地局２０１のアドレス情報に括り付けて、フェムトセル用無線基地局２０１に設定すべき運用パラメータを管理しており、後述する再開通知の送信元のアドレス情報を参照して、フェムトセル用無線基地局２０１に設定する運用パラメータを選択する。
【００４８】
一方、ステップＳ１００５において、ＰｎＰサーバ６００は、かかる収容変更により、フェムトセル用無線基地局２０１を収容しなくなるネットワーク装置１００に対して、フェムトセル用無線基地局２０１に対して設定済みの運用パラメータ等の情報を削除するように要求する削除要求を送信する。
【００４９】
ステップＳ１００５の動作により、ネットワーク装置１００とフェムトセル用無線基地局２０１との接続関係が解消されることになる。
【００５０】
ステップＳ１００６において、ＰｎＰサーバ６００は、フェムトセル用無線基地局２０１に対して、収容先となるネットワーク装置を再度探索させるために、リセット要求を送信する。
【００５１】
ステップＳ１００７において、リセット要求を受信したフェムトセル用無線基地局２０１は、リセット動作を行う。
【００５２】
なお、マクロセル用無線基地局は、かかるリセット要求を受信した場合には、報知情報の送信電力を徐々に下げていき、かかる報知情報の送信電力が所定値になった後でリセット動作を行うように構成されている。
【００５３】
ステップＳ１００８において、フェムトセル用無線基地局２０１に対するアドレス情報（例えば、ＩＰアドレス）の割り当てや、必要に応じて、フェムトセル用無線基地局２０１とゲートウェイ装置４００との間のＶＰＮ（Ｖｉｒｔｕａｌ  Ｐｒｉｖａｔｅ  Ｎｅｔｗｏｒｋ）の設定等が実施された後、フェムトセル用無線基地局２０１は、ＤＮＳサーバ５００に対してアドレス解決要求を送信する。
【００５４】
ステップＳ１００９において、ＤＮＳサーバ５００は、受信したアドレス解決要求の送信元であるフェムトセル用無線基地局２０１のアドレス情報を参照し、かかるフェムトセル用無線基地局２０１のアドレス情報に対応するネットワーク装置１０１のアドレス情報を、フェムトセル用無線基地局２０１に通知する。
【００５５】
ステップＳ１０１０において、新たな収容先のネットワーク装置１０１のアドレス情報を受信したフェムトセル用無線基地局２０１は、ネットワーク装置１０１に対して再開通知用の信号を送信することによって、ネットワーク装置１０１から運用パラメータを通知してもらうことにより、ネットワーク装置１０１との間で接続状態になる。
【００５６】
なお、上述したステップＳ１００３〜ステップＳ１００５については順不同であり、順序が入れ替わっても差し支えない。
【００５７】
（本発明の第１の実施形態に係る移動通信システムの作用・効果）
本発明の第１の実施形態に係る移動通信システムによれば、ネットワーク管理者によるパラメータ設定作業の増加を抑え、フェムトセル用無線基地局の所有者に保守作業（リセット作業）を強いることなく、自動的に、フェムトセル用無線基地局の収容変更を行うことができる。
【００５８】
なお、図６乃至図８を参照して、本実施形態に係る移動通信システムにおけるマクロセル用無線基地局２００及びフェムトセル用無線基地局２０１、２０２の収容先について説明する。
【００５９】
第1に、図６に示すように、本実施形態に係る移動通信システムにおいて、マクロセル用無線基地局２００の収容先が、ネットワーク装置の一種である無線制御装置ＲＮＣであり、フェムトセル用無線基地局２０１、２０２の収容先が、ネットワーク装置の一種である集約装置ＨＮＢ-ＧＷであるように構成されていてもよい。
【００６０】
ここで、フェムトセル用無線基地局２０１、２０２の収容先は、集約装置ＨＮＢ-ＧＷではなく、無線制御装置ＲＮＣであってもよい。
【００６１】
第２に、図７に示すように、本実施形態に係る移動通信システムにおいて、マクロセル用無線基地局２００の収容先が、ネットワーク装置の一種である交換局ＭＭＥであり、フェムトセル用無線基地局２０１、２０２の収容先が、ネットワーク装置の一種である集約装置ＨｅＮＢ-ＧＷであるように構成されていてもよい。
【００６２】
ここで、フェムトセル用無線基地局２０１、２０２の収容先は、集約装置ＨｅＮＢ-ＧＷではなく、交換局ＭＭＥであってもよい。
【００６３】
第３に、図８に示すように、本実施形態に係る移動通信システムにおいて、マクロセル用無線基地局２００の収容先が、ネットワーク装置の一種である交換局ＭＭＥ（或いは、無線制御装置ＲＮＣ）であり、フェムトセル用無線基地局２０１、２０２の収容先が、ネットワーク装置の一種であるＩＭＳ（ＩＰ  Ｍｕｌｔｉｍｅｄｉａ  Ｓｕｂｓｙｓｔｅｍ）であるように構成されていてもよい。
【００６４】
以上に述べた本実施形態の特徴は、以下のように表現されていてもよい。
【００６５】
本実施形態の第１の特徴は、移動通信方法であって、無線基地局の収容先を、第１ネットワーク装置から第２ネットワーク装置に変更することを決定する工程Ａと、前記無線基地局に対して、リセット要求を送信する工程Ｂと、前記無線基地局が、前記リセット要求に応じて、リセット動作を行う工程Ｃと、前記無線基地局に対して、前記第２ネットワーク装置のアドレス情報を通知する工程Ｄと、前記無線基地局が、通知された前記第２ネットワーク装置のアドレス情報を用いて、該第２ネットワーク装置に対して接続を行う工程Ｅとを有し、前記工程Ｃにおいて、前記無線基地局は、第１無線基地局（マクロセル用無線基地局２００）である場合、前記リセット要求を受信した場合に、報知情報の送信電力を徐々に下げていき、該報知情報の送信電力が所定値になった後でリセット動作を行い、前記工程Ｃにおいて、前記無線基地局は、第２無線基地局（フェムトセル用無線基地局２０１、２０２）である場合、前記リセット要求を受信した場合にリセット動作を行うことを要旨とする。
【００６６】
本実施形態の第１の特徴において、前記工程Ａにおいて、前記第１ネットワーク装置のサービスエリア内に前記第２ネットワーク装置が新たに設置された場合に、該第２ネットワーク装置のサービスエリア及び該第１ネットワーク装置に収容されている無線基地局の設置位置に応じて、収容先を該第２ネットワーク装置に変更する無線基地局を決定してもよい。
【００６７】
本実施形態の第１の特徴において、前記工程Ａにおいて、更に、前記第１無線基地局或いは前記第２無線基地局のいずれかであるかに応じて、収容先を該第２ネットワーク装置に変更する無線基地局を決定してもよい。
【００６８】
本実施形態の第１の特徴において、サーバ装置に対して、収容先を前記第２ネットワーク装置に変更すべき無線基地局に係る情報を通知する工程を更に有し、前記工程Ｄにおいて、前記サーバ装置が、前記無線基地局から送信されたアドレス解決要求に含まれる該無線基地局に係る情報に応じて、該無線基地局に対して、前記第２ネットワーク装置のアドレス情報を通知してもよい。
【００６９】
本実施形態の第２の特徴は、サーバ装置（ＰｎＰサーバ６００）であって、第１ネットワーク装置のサービスエリア内に第２ネットワーク装置が新たに設置された場合に、該第２ネットワーク装置のサービスエリア及び該第１ネットワーク装置に収容されている無線基地局の設置位置に応じて、収容先を該第２ネットワーク装置に変更する無線基地局を決定するように構成されている決定部１２と、前記無線基地局に対して、リセット要求を送信するように構成されている送信部１３とを具備することを要旨とする。
【００７０】
本実施形態の第２の特徴において、前記決定部１２は、更に、第１無線基地局或いは第２無線基地局のいずれかであるかに応じて、収容先を該第２ネットワーク装置に変更する無線基地局を決定するように構成されており、前記第１無線基地局は、前記リセット要求を受信した場合に、報知情報の送信電力を徐々に下げていき、該報知情報の送信電力が所定値になった後でリセット動作を行うように構成されている無線基地局であり、前記第２無線基地局は、前記リセット要求を受信した場合にリセット動作を行うように構成されている無線基地局であってもよい。
【００７１】
（変更例）
なお、上述のネットワーク装置１００乃至１０４やマクロセル用無線基地局２００やフェムトセル用無線基地局２０１、２０２やＰｎＰサーバ６００の動作は、ハードウェアによって実施されてもよいし、プロセッサによって実行されるソフトウェアモジュールによって実施されてもよいし、両者の組み合わせによって実施されてもよい。
【００７２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置１００乃至１０４やマクロセル用無線基地局２００やフェムトセル用無線基地局２０１、２０２やＰｎＰサーバ６００内に設けられていてもよい。また、かかる記憶媒体及びプロセッサは、ディスクリートコンポーネントとしてネットワーク装置１００乃至１０４やマクロセル用無線基地局２００やフェムトセル用無線基地局２０１、２０２やＰｎＰサーバ６００内に設けられていてもよい。
【００７４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010016578.tif 000003
【図２】
2010016578.tif 000004
【図３】
2010016578.tif 000005
【図４】
2010016578.tif 000006
【図５】
2010016578.tif 000007
【図６】
2010016578.tif 000008
【図７】
2010016578.tif 000009
【図８】
2010016578.tif 000010
【国際調査報告】
2010016578.tif 000011
2010016578.tif 000012